(57)【要約】  本発明は伝送時刻決定方法及び装置、コンピュータ記憶媒体を開示し、前記方法は、端末は第１時刻に、基地局から送信されるダウンリンク制御情報（ＤＣＩ）を受信するステップと、前記端末が、前記第１時刻に基づき、サイドリンクデータを伝送する第２時刻を決定するステップと、を含む。
2021503742.tif 000002
【特許請求の範囲】
【請求項１】
伝送時刻決定方法であって、
端末が、第１時刻に、基地局から送信されるダウンリンク制御情報（ＤＣＩ）を受信するステップと、
前記端末が、前記第１時刻に基づき、サイドリンクデータを伝送する第２時刻を決定するステップと、を含む方法。
【請求項２】
前記端末が、受信した前記ＤＣＩを搬送する最後のシンボルの置かれた時刻を、前記第１時刻とするステップ、又は、
前記端末が、受信した前記ＤＣＩを搬送するサブフレーム又はタイムスロットの最後のシンボルの置かれた時刻を、前記第１時刻とするステップをさらに含む請求項１に記載の方法。
【請求項３】
前記第１時刻と前記第２時刻は、サイドリンクに使用される時間単位である第１時間単位によって計量される請求項１又は２に記載の方法。
【請求項４】
基地局側における前記ＤＣＩの送信時刻は第３時刻である請求項１〜３のいずれか一項に記載の方法。
【請求項５】
前記端末が、第１時刻に、基地局から送信されるＤＣＩを受信する前に、第４時刻にアップリンク情報を前記基地局に送信し、前記基地局が前記アップリンク情報を受信する時刻は第５時刻であるステップをさらに含む請求項４に記載の方法。
【請求項６】
前記第５時刻は具体的には、
前記基地局が、受信した前記アップリンク情報を搬送する最後のシンボルの置かれた時刻を、前記第５時刻とし、又は、
前記基地局が、受信した前記アップリンク情報を搬送するサブフレーム又はタイムスロットの最後のシンボルの置かれた時刻を、前記第５時刻とすることによって決定される請求項５に記載の方法。
【請求項７】
前記第３時刻と前記第５時刻は、ダウンリンクに使用される時間単位である第２時間単位によって計量される請求項５又は６に記載の方法。
【請求項８】
前記第４時刻と前記第２時刻との間の時間長は、前記端末の遅延要求に対応する時間長より小さい請求項５〜７のいずれか一項に記載の方法。
【請求項９】
伝送時刻決定装置であって、
第１時刻に、基地局から送信されるＤＣＩを受信するように構成される受信ユニットと、
前記第１時刻に基づき、サイドリンクデータを伝送する第２時刻を決定するように構成される第１決定ユニットと、を備える伝送時刻決定装置。
【請求項１０】
受信した前記ＤＣＩを搬送する最後のシンボルの置かれた時刻を、前記第１時刻とし、又は、受信した前記ＤＣＩを搬送するサブフレーム又はタイムスロットの最後のシンボルの置かれた時刻を、前記第１時刻とするように構成される第２決定ユニットをさらに備える請求項９に記載の装置。
【請求項１１】
前記第１時刻と前記第２時刻は、サイドリンクに使用される時間単位である第１時間単位によって計量される請求項９又は１０に記載の装置。
【請求項１２】
基地局側における前記ＤＣＩの送信時刻は第３時刻である請求項９〜１１のいずれか一項に記載の装置。
【請求項１３】
第４時刻にアップリンク情報を前記基地局に送信するように構成され、前記基地局が前記アップリンク情報を受信する時刻は第５時刻である送信ユニットをさらに備える請求項１２に記載の装置。
【請求項１４】
前記第５時刻は具体的には、
前記基地局が、受信した前記アップリンク情報を搬送する最後のシンボルの置かれた時刻を、前記第５時刻とし、又は、
前記基地局が、受信した前記アップリンク情報を搬送するサブフレーム又はタイムスロットの最後のシンボルの置かれた時刻を、前記第５時刻とすることによって決定される請求項１３に記載の装置。
【請求項１５】
前記第３時刻と前記第５時刻は、ダウンリンクに使用される時間単位である第２時間単位によって計量される請求項１３又は１４に記載の装置。
【請求項１６】
前記第４時刻と前記第２時刻との間の時間長は、前記端末の遅延要求に対応する時間長より小さい請求項１３〜１５のいずれか一項に記載の装置。
【請求項１７】
コンピュータ記憶媒体であって、コンピュータ実行可能命令が記憶され、前記コンピュータ実行可能命令がプロセッサによって実行されると、請求項１−８のいずれか一項に記載の方法を実現するステップコンピュータ記憶媒体。
【発明の詳細な説明】
【技術分野】
【０００１】
本発明は移動通信分野における車車間／路車間通信技術に関し、特に伝送時刻決定方法及び装置、コンピュータ記憶媒体に関する。
【背景技術】
【０００２】
車車間／路車間通信システムはロングタームエボリューション（ＬＴＥ：Ｌｏｎｇ  Ｔｅｒｍ  Ｅｖｏｌｕｔｉｏｎ）−デバイスツーデバイス（Ｄ２Ｄ：Ｄｅｖｉｃｅ  ｔｏ  Ｄｅｖｉｃｅ）に基づくサイドリンク（ＳＬ：Ｓｉｄｅｌｉｎｋ）伝送技術を採用し、従来のＬＴＥシステムで通信データが基地局によって送受信される方式と異なり、車車間／路車間通信システムは、デバイスツーデバイスの直接通信の方式を採用し、従ってスペクトル効率がより高く、伝送遅延がより低い。
【０００３】
３ＧＰＰ  Ｒｅｌ−１４では、車車間／路車間通信技術（Ｖ２Ｘ：Ｖｅｈｉｃｌｅ−ｔｏ−Ｅｖｅｒｙｔｈｉｎｇ）が標準化されており、モード３及びモード４の２種の伝送モードが定義されている。モード３では、端末の伝送リソースは基地局によって割り当てられる。モード４では、端末はセンシング（ｓｅｎｓｉｎｇ）＋予約（ｒｅｓｅｒｖａｔｉｏｎ）の方式によって伝送リソースを決定する。
【０００４】
上記モード３では、端末の伝送リソースは基地局によって制御シグナリングを介してスケジューリングされ、前記制御シグナリングは、ダウンリンク制御情報（ＤＣＩ：Ｄｏｗｎｌｉｎｋ  Ｃｏｎｔｒｏｌ  Ｉｎｆｏｒｍａｔｉｏｎ）に搬送されており、システムのダウンリンクによって伝送される。車車間／路車間通信のデータは、サイドリンクによって伝送されている。伝送遅延を低減させるために、システムのダウンリンクにおいて短伝送時間間隔（ｓＴＴＩ：ｓｈｏｒｔ  Ｔｒａｎｓｍｉｓｓｉｏｎ  Ｔｉｍｅ  Ｉｎｔｅｒｖａｌ）の伝送方式を採用し、又はシステムのサイドリンクにおいてｓＴＴＩの伝送方式を採用し、システムのサイドリンク及びダウンリンクにおいて異なる伝送方式を採用する場合、如何にシステムのダウンリンク制御情報に基づいて、サイドリンクの伝送時刻を決定するかは解決すべき問題である。
【発明の概要】
【発明が解決しようとする課題】
【０００５】
上記技術的問題を解決するために、本発明の実施例は伝送時刻決定方法及び装置、コンピュータ記憶媒体を提供する。
【課題を解決するための手段】
【０００６】
本発明の実施例に係る伝送時刻決定方法は、
端末が、第１時刻に、基地局から送信されるＤＣＩを受信するステップと、
前記端末が、前記第１時刻に基づき、サイドリンクデータを伝送する第２時刻を決定するステップと、を含む。
【０００７】
本発明の実施例では、前記方法は、
前記端末は、受信した前記ＤＣＩを搬送する最後のシンボルの置かれた時刻を、前記第１時刻とするステップ、又は、
前記端末は、受信した前記ＤＣＩを搬送するサブフレーム又はタイムスロットの最後のシンボルの置かれた時刻を、前記第１時刻とするステップをさらに含む。
【０００８】
本発明の実施例では、前記第１時刻と前記第２時刻は、サイドリンクに使用される時間単位である第１時間単位によって計量される。
【０００９】
本発明の実施例では、基地局側における前記ＤＣＩの送信時刻は第３時刻である。
【００１０】
本発明の実施例では、前記方法は、
前記端末は、第１時刻に、基地局から送信されるＤＣＩを受信する前に、第４時刻にアップリンク情報を前記基地局に送信し、前記基地局が前記アップリンク情報を受信する時刻は第５時刻であるステップをさらに含む。
【００１１】
本発明の実施例では、前記第５時刻は具体的には、
前記基地局は、受信した前記アップリンク情報を搬送する最後のシンボルの置かれた時刻を、前記第５時刻とし、又は、
前記基地局は、受信した前記アップリンク情報を搬送するサブフレーム又はタイムスロットの最後のシンボルの置かれた時刻を、前記第５時刻とすることによって決定される。
【００１２】
本発明の実施例では、前記第３時刻と前記第５時刻は、ダウンリンクに使用される時間単位である第２時間単位によって計量される。
【００１３】
本発明の実施例では、前記第４時刻と前記第２時刻との間の時間長は、前記端末の遅延要求に対応する時間長より小さい。
【００１４】
本発明の実施例に係る伝送時刻決定装置は、
第１時刻に、基地局から送信されるＤＣＩを受信するように構成される受信ユニットと、
前記第１時刻に基づき、サイドリンクデータを伝送する第２時刻を決定するように構成される第１決定ユニットと、を備える。
【００１５】
本発明の実施例では、前記装置は、
受信した前記ＤＣＩを搬送する最後のシンボルの置かれた時刻を、前記第１時刻とし、又は、受信した前記ＤＣＩを搬送するサブフレーム又はタイムスロットの最後のシンボルの置かれた時刻を、前記第１時刻とするように構成される第２決定ユニットをさらに備える。
【００１６】
本発明の実施例では、前記第１時刻と前記第２時刻は、サイドリンクに使用される時間単位である第１時間単位によって計量される。
【００１７】
本発明の実施例では、基地局側における前記ＤＣＩの送信時刻は第３時刻である。
【００１８】
本発明の実施例では、前記装置は、第４時刻にアップリンク情報を前記基地局に送信するように構成され、前記基地局が前記アップリンク情報を受信する時刻は第５時刻である送信ユニットをさらに備える。
【００１９】
本発明の実施例では、前記第５時刻は具体的には、
前記基地局は、受信した前記アップリンク情報を搬送する最後のシンボルの置かれた時刻を、前記第５時刻とし、又は、
前記基地局は、受信した前記アップリンク情報を搬送するサブフレーム又はタイムスロットの最後のシンボルの置かれた時刻を、前記第５時刻とすることによって決定される。
【００２０】
本発明の実施例では、前記第３時刻と前記第５時刻は、ダウンリンクに使用される時間単位である第２時間単位によって計量される。
【００２１】
本発明の実施例では、前記第４時刻と前記第２時刻との間の時間長は、前記端末の遅延要求に対応する時間長より小さい。
【００２２】
本発明の実施例に係るコンピュータ記憶媒体は、コンピュータ実行可能命令が記憶され、前記コンピュータ実行可能命令がプロセッサによって実行されると、上記伝送時刻決定方法を実現する。
【発明の効果】
【００２３】
本発明の実施例の技術案では、端末が、第１時刻に、基地局から送信されるＤＣＩを受信し、前記端末が、前記第１時刻に基づき、サイドリンクデータを伝送する第２時刻を決定する。本発明の実施例の技術案によれば、端末は基地局のスケジューリング情報、即ちＤＣＩを受信し、ＤＣＩの受信時刻に基づいて、サイドリンクデータの送信時刻を計算し、その後、サイドリンクデータの伝送を行う。
【図面の簡単な説明】
【００２４】
【図１】車車間／路車間通信におけるモード３のシーン模式図である。
【図２】車車間／路車間通信におけるモード４のシーン模式図である。
【図３】本発明の実施例における伝送時刻決定方法のフローチャートである。
【図４】本発明の実施例における伝送時間の模式図１である。
【図５】本発明の実施例における伝送時間の模式図２である。
【図６】本発明の実施例における伝送時刻決定装置の構成模式図１である。
【図７】本発明の実施例における伝送時刻決定装置の構成模式図２である。
【図８】本発明の実施例における端末の構成模式図である。
【発明を実施するための形態】
【００２５】
ここで説明される図面は本発明を更に理解するためのものであり、本願の一部として組み込まれ、本発明の例示的実施例及びその説明は本発明を解釈するが、本発明を限定するものではない。
【００２６】
本発明の実施例の特徴及び技術内容をよく理解できるために、以下、図面を参照して本発明の実施例の実現を詳細説明し、添付図面は参照及び説明用であるが、本発明の実施例を限定するものではない。
【００２７】
本発明の実施例の技術案を理解するために、以下、それぞれモード３及びモード４を説明する。
【００２８】
モード３について、図１に示すように、車載端末のサイドリンク伝送リソースは、基地局（例えば、ＬＴＥ中の発展型基地局（ｅＮＢ：ｅｖｏｌｖｅｄ  ＮｏｄｅＢ））によって割り当てられ、具体的には、基地局は、ダウンリンク（ＤＬ：Ｄｏｗｎ  Ｌｉｎｋ）によって、グランド（Ｇｒａｎｔ）リソースを指示するための制御メッセージを車載端末に送信し、その後、車載端末は基地局によって割り当てられたリソースに基づきＳＬでデータ送信を行う。モード３では、基地局は、車載端末に１回の伝送リソースを割り当ててもよく、端末に半永続的な伝送のリソースを割り当ててもよい。
【００２９】
モード４について、図２に示すように、車載端末はサイドリンク上でセンシング＋予約の伝送方式を採用する。車載端末はリソースプールにおいてセンシングによって利用可能な伝送リソース集合を取得し、車載端末は該伝送リソース集合から１つのリソースをランダムに選択してデータ伝送を行う。車車間／路車間通信システムにおけるサービスは周期的な特徴を有するため、車載端末は、通常、半永続的な伝送方式を採用し、即ち、車載端末は１つの伝送リソースを選択した後、複数の伝送周期において該リソースを使用し続け、それによりリソース再選択及びリソース競合の確率を低減させる。車載端末は、今回伝送される制御情報に次回の伝送リソースを予約する情報を含ませ、それによりほかの端末は、該車載端末の制御情報を検出することによって、当該リソースが該車載端末によって予約及び使用されているか否かを判断し、それにより、リソース競合を低減させる目的を達成する。
【００３０】
上記車車間／路車間通信システムのモード３に基づいて、本発明の実施例は伝送時刻決定方法を提供し、端末は基地局のスケジューリング情報を受信し、最後に受信したシンボルを送信時刻計算用の参照時刻とし、サイドリンクの時間単位に基づき、ｎ＋ｋ時刻後にデータ送信を行う。
【００３１】
図３は本発明の実施例における伝送時刻決定方法のフローチャートであり、図３に示すように、前記伝送時刻決定方法はステップ３０１〜３０２を含む。
【００３２】
ステップ３０１では、端末が、第１時刻に、基地局から送信されるＤＣＩを受信する。
【００３３】
本発明の実施例では、サイドリンクは第１時間単位によって伝送時刻を計量する。一実施形態では、第１時間単位はｓＴＴＩであり、例えば、１つのｓＴＴＩは４つのＯＦＤＭシンボルを含み、別の実施例では、第１時間単位は正常サブフレーム、例えば１ミリ秒のサブフレームである。
【００３４】
本発明の実施例では、前記端末は、受信した前記ＤＣＩを搬送する最後のシンボルの置かれた時刻を、前記第１時刻とし、又は、前記端末は、受信した前記ＤＣＩを搬送するサブフレーム又はタイムスロットの最後のシンボルの置かれた時刻を、前記第１時刻とする。
【００３５】
例えば、ＤＣＩを搬送するシンボルはシンボル１、シンボル２、シンボル３を含み、端末がシンボル３を受信する時刻は第１時刻である。更に、端末がシンボル３を受信する時に対応するサイドリンクのサブフレーム又はタイムスロットが第１時刻である。
【００３６】
例えば、ＤＣＩを搬送するサブフレームは１４個のＯＦＤＭシンボルを含み、前記ＤＣＩはシンボル１、シンボル２、及びシンボル３の３つのシンボルを含み、端末が前記ＤＣＩの所在するサブフレームの最後のシンボル（すなわち、第１４個のシンボル）を受信する時刻は第１時刻である。更に、端末が前記ＤＣＩの所在するサブフレームの最後のシンボル（すなわち、第１４個のシンボル）を受信する時に対応するサイドリンクのサブフレーム又はタイムスロットは第１時刻である。
【００３７】
ステップ３０２では、前記端末は、前記第１時刻に基づき、サイドリンクデータを伝送する第２時刻を決定する。
【００３８】
本発明の実施例では、前記第１時刻と前記第２時刻はいずれも第１時間単位によって計量される。
【００３９】
前記第１時間単位によって計量し、前記第１時刻をｎとする場合、このｎ値に基づいて第２時刻がｎ＋ｋであることを決定することができ、ｋはデフォルト値であり又はネットワークから取得されるものである。
【００４０】
本発明の実施例では、基地局側における前記ＤＣＩの送信時刻は第３時刻である。前記端末は、第１時刻に、基地局から送信されるＤＣＩを受信する前に、第４時刻にアップリンク情報を前記基地局に送信し、前記基地局が前記アップリンク情報を受信する時刻は第５時刻である。
【００４１】
本発明の実施例では、前記基地局は、受信した前記アップリンク情報を搬送する最後のシンボルの置かれた時刻を、前記第５時刻とし、又は前記端末は、受信した前記アップリンク情報を搬送するサブフレーム又はタイムスロットの最後のシンボルの置かれた時刻を、前記第５時刻とする。
【００４２】
上記技術案では、時間順に沿って端末と基地局との対話は以下の通りである。端末は第４時刻にアップリンク情報を基地局に送信し、前記基地局が前記アップリンク情報を受信する時刻は第５時刻である。その後、前記基地局は第３時刻にＤＣＩを前記端末に送信し、前記端末が、第１時刻に、基地局から送信されるＤＣＩを受信し、且つ第２時刻にサイドリンクデータの伝送を開始する。
【００４３】
上記各時刻の前後順序は、第４時刻、第５時刻、第３時刻、第１時刻、第２時刻である。
【００４４】
前記第３時刻と前記第５時刻は、ダウンリンクに使用される時間単位である第２時間単位によって計量される。
【００４５】
なお、第２時間単位と第１時間単位は異なる時間単位であってもよく、同じ時間単位であってもよい。第２時間単位と第１時間単位は以下の関係を満たす。
【００４６】
前記第１時間単位は前記第２時間単位より大きいこと、又は、
前記第１時間単位は前記第２時間単位より小さいこと、又は、
前記第１時間単位は前記第２時間単位に等しいこと。
【００４７】
遅延要求を満たすために、前記第４時刻と前記第２時刻との間の時間長は、前記端末の遅延要求に対応する時間長より小さい。
【００４８】
以下、具体的な応用例を参照して本発明の実施例の技術案を更に説明する。
【００４９】
応用例１
図４に示すように、ダウンリンクの第２時間単位は、サイドリンクの第１時間単位より大きい。端末は、サイドリンクの時刻１にＤＣＩの受信を開始し、時刻３に受信を完了する。この場合、端末がＤＣＩを受信する時刻は、ＤＣＩの最後のシンボルを受信する時刻、即ち時刻３である。
【００５０】
端末は、サイドリンクのｎ＋ｋ時刻にサイドリンクデータを送信し、図示するように、ｋ＝４であり、即ち、時刻７にサイドリンクデータを送信する。
【００５１】
応用例２
図５に示すように、ダウンリンクの第２時間単位は、サイドリンクの第１時間単位より小さい。
【００５２】
端末は、サイドリンクの時刻１にＤＣＩの受信を開始し、時刻２に受信を完了し、この場合、端末がＤＣＩを受信する時刻とは、ＤＣＩの最後のシンボルを受信する時刻、即ち時刻２である。
【００５３】
端末は、サイドリンクのｎ＋ｋ時刻にサイドリンクデータを送信し、図示するように、ｋ＝４であり、即ち、時刻６にサイドリンクデータを送信する。
【００５４】
図６は本発明の実施例における伝送時刻決定装置の構成模式図１であり、図６に示すように、前記装置は、
第１時刻に、基地局から送信されるＤＣＩを受信するように構成される受信ユニット６０１と、
前記第１時刻に基づき、サイドリンクデータを伝送する第２時刻を決定するように構成される第１決定ユニット６０２と、を備える。
【００５５】
当業者であれば、図６に示される伝送時刻決定装置の各ユニットの実現機能について、上記伝送時刻決定方法の関連説明を参照して把握すればよいことを理解できる。図６に示される伝送時刻決定装置の各ユニットの機能はプロセッサ上で実行されるプログラムによって実現されてもよく、具体的な論理回路によって実現されてもよい。
【００５６】
図７は本発明の実施例における伝送時刻決定装置の構成模式図２であり、図７に示すように、前記装置は、
第１時刻に、基地局から送信されるＤＣＩを受信するように構成される受信ユニット７０１と、
前記第１時刻に基づき、サイドリンクデータを伝送する第２時刻を決定するように構成される第１決定ユニット７０２と、を備える。
【００５７】
本発明の実施例では、前記装置は、
受信した前記ＤＣＩを搬送する最後のシンボルの置かれた時刻を、前記第１時刻とし、又は、受信した前記ＤＣＩを搬送するサブフレーム又はタイムスロットの最後のシンボルの置かれた時刻を、前記第１時刻とするように構成される第２決定ユニット７０３をさらに備える。
【００５８】
本発明の実施例では、前記第１時刻と前記第２時刻は、サイドリンクに使用される時間単位である第１時間単位によって計量される。
【００５９】
本発明の実施例では、基地局側における前記ＤＣＩの送信時刻は第３時刻である。
【００６０】
本発明の実施例では、前記装置は、第４時刻にアップリンク情報を前記基地局に送信するように構成され、前記基地局が前記アップリンク情報を受信する時刻は第５時刻である送信ユニット７０４をさらに備える。
【００６１】
本発明の実施例では、前記第５時刻は具体的には、
前記基地局は、受信した前記アップリンク情報を搬送する最後のシンボルの置かれた時刻を、前記第５時刻とし、又は、
前記基地局は、受信した前記アップリンク情報を搬送するサブフレーム又はタイムスロットの最後のシンボルの置かれた時刻を、前記第５時刻とすることによって決定される。
【００６２】
本発明の実施例では、前記第３時刻と前記第５時刻は、ダウンリンクに使用される時間単位である第２時間単位によって計量される。
【００６３】
本発明の実施例では、前記第４時刻と前記第２時刻との間の時間長は、前記端末の遅延要求に対応する時間長より小さい。
【００６４】
当業者であれば、図７に示される伝送時刻決定装置の各ユニットの実現機能について、上記伝送時刻決定方法の関連説明を参照して把握すればよいことを理解できる。図７に示される伝送時刻決定装置の各ユニットの機能はプロセッサ上で実行されるプログラムによって実現されてもよく、具体的な論理回路によって実現されてもよい。
【００６５】
本発明の実施例における上記伝送時刻決定装置はソフトウェア機能モジュールの形態で実装され且つ独立した製品として販売又は使用される場合、コンピュータ可読記憶媒体に記憶されてもよい。このような理解に基づいて、本発明の実施例の技術案は本質的には又は従来技術に貢献する部分はソフトウェア製品の形態で具現化でき、該コンピュータソフトウェア製品は記憶媒体に記憶され、コンピュータ装置（パソコン、サーバ、又はネットワーク装置等）に本発明の各実施例に記載の方法のすべて又は一部を実行させるための複数の命令を含む。上記記憶媒体は、Ｕディスク、モバイルディスク、読み出し専用メモリ（ＲＯＭ：Ｒｅａｄ  Ｏｎｌｙ  Ｍｅｍｏｒｙ）、磁気ディスク又は光ディスクなどプログラムコードを記憶可能な種々の媒体を含む。このように、本発明の実施例は特定のハードウェアとソフトウェアとの組合せに限定されない。
【００６６】
それに対応して、本発明の実施例はさらにコンピュータ記憶媒体を提供し、コンピュータ実行可能命令が記憶され、該コンピュータ実行可能命令がプロセッサによって実行されると、本発明の実施例における上記伝送時刻決定方法を実現する。
【００６７】
図８は本発明の実施例における端末の構成模式図であり、図８に示すように、端末８０は、１つ又は複数の（１つのみが図示されている）プロセッサ８０２（プロセッサ８０２はマイクロプロセッサ（ＭＣＵ：Ｍｉｃｒｏ  Ｃｏｎｔｒｏｌｌｅｒ  Ｕｎｉｔ）又はプログラマブルロジックデバイス（ＦＰＧＡ：Ｆｉｅｌｄ  Ｐｒｏｇｒａｍｍａｂｌｅ  Ｇａｔｅ  Ａｒｒａｙ）等の処理装置を含むが、それらに限定されない）、データを記憶するように構成されるメモリ８０４、及び通信機能用の伝送装置８０６を備える。当業者であれば、図８に示される構造は例示的なものであり、上記電子装置の構造を限定しない。例えば、端末８０は図８よりも多い又は少ないユニットを備え、又は図８と異なる構成を有するようにしてもよい。
【００６８】
メモリ８０４はアプリケーションのソフトウェアプログラム及びモジュール、例えば、本発明の実施例における制限されたユーザー装置ＵＥ能力の制御方法に対応するプログラム命令／モジュールを記憶し、プロセッサ８０２はメモリ８０４に記憶されたソフトウェアプログラム及びモジュールを実行することで、各種の機能アプリケーション及びデータ処理を実行し、即ち上記方法を実現する。メモリ８０４は高速ランダムメモリを含んでもよく、不揮発性メモリ、例えば、１つ又は複数の磁気記憶装置、フラッシュメモリ、又はほかの不揮発性ソリッドステートメモリを含んでもよい。いくつかの例では、メモリ８０４は更にプロセッサ８０２に対して遠隔設置されるメモリを含んでもよく、これらの遠隔メモリはネットワークによって端末８０に接続され得る。上記ネットワークの例はインターネット、イントラネット、ローカルエリアネットワーク、移動体通信網及びそれらの組み合わせを含むが、それらに限定されない。
【００６９】
伝送装置８０６は１つのネットワークを経由してデータを受信又は送信するように構成される。上記ネットワークの具体例は端末８０の通信プロバイダーによって提供されるワイヤレスネットワークを含んでもよい。一例では、伝送装置８０６は１つのネットワークインタフェースコントローラ（ＮＩＣ：Ｎｅｔｗｏｒｋ  Ｉｎｔｅｒｆａｃｅ  Ｃｏｎｔｒｏｌｌｅｒ）を備え、基地局によってほかのネットワーク装置と接続してインターネットと通信する。一例では、伝送装置８０６は無線周波数（ＲＦ：Ｒａｄｉｏ  Ｆｒｅｑｕｅｎｃｙ）モジュールであり、無線方式によってインターネットと通信する。
【００７０】
本発明の実施例に記載の技術案同士は矛盾しない限り、任意に組み合わせることができる。
【００７１】
本発明に係るいくつかの実施例では、開示されている方法及びインテリジェント装置をほかの形態で実現できると理解すべきである。例えば、以上説明された装置の実施例は単に例示的なものであり、例えば、前記ユニットの分割は、単に１種のロジック機能分割であり、実際の実装では別の分割方式を採用してもよく、例えば複数のユニット又は要素を別のシステムに結合又は集積し、又はいくつかの特徴を無視したり実行しなかったりする。また、表示又は検討された各要素の相互結合又は直接結合又は通信接続はいくつかのインタフェース、装置又はユニットを介した間接結合又は通信接続であってもよく、電気的、機械的又はほかの形態としてもよい。
【００７２】
上記分離部材として説明されたユニットは物理的に分離しているものであってもよく、物理的に分離しているものでなくてもよく、ユニットとして表示される部材は物理ユニットであってもよく物理ユニットでなくてもよく、即ち、１つの場所に位置してもよく、複数のネットワークユニットに分散してもよく、実際の必要に応じて一部又はすべてのユニットを選択して本実施例の技術案の目的を実現することができる。
【００７３】
また、本発明の各実施例における各機能ユニットはすべて１つの第２処理ユニットに集積されてもよく、それぞれ単独に１つのユニットとして機能してもよく、２つ又は２つ以上のユニットが１つのユニットに集積されてもよく、上記集積されたユニットはハードウェアの形態で実現されてもよく、ハードウェア及びソフトウェア機能ユニットの形態で実現されてもよい。
【００７４】
以上、本発明の具体的な実施形態を説明したが、本発明の保護範囲を限定するものではなく、当業者が本発明に開示されている技術範囲を逸脱せずに容易に想到し得る変更や置換は本発明の保護範囲に属すべきである。
【図１】
2021503742.tif 000003
【図２】
2021503742.tif 000004
【図３】
2021503742.tif 000005
【図４】
2021503742.tif 000006
【図５】
2021503742.tif 000007
【図６】
2021503742.tif 000008
【図７】
2021503742.tif 000009
【図８】
2021503742.tif 000010
【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
伝送時刻決定方法であって、
端末が、第１時刻に、基地局から送信されるダウンリンク制御情報（ＤＣＩ）を受信するステップと、
前記端末が、前記第１時刻に基づき、サイドリンクデータを伝送する第２時刻を決定するステップと、を含む方法。
【請求項２】
前記端末が、受信した前記ＤＣＩを搬送する最後のシンボルの置かれた時刻を、前記第１時刻とするステップ、又は、
前記端末が、受信した前記ＤＣＩを搬送するサブフレーム又はタイムスロットの最後のシンボルの置かれた時刻を、前記第１時刻とするステップをさらに含む請求項１に記載の方法。
【請求項３】
前記第１時刻と前記第２時刻は、サイドリンクに使用される時間単位である第１時間単位によって計量される請求項１又は２に記載の方法。
【請求項４】
基地局側における前記ＤＣＩの送信時刻は第３時刻である請求項１〜３のいずれか一項に記載の方法。
【請求項５】
前記端末が、第１時刻に、基地局から送信されるＤＣＩを受信する前に、第４時刻にアップリンク情報を前記基地局に送信し、前記基地局が前記アップリンク情報を受信する時刻は第５時刻であるステップをさらに含む請求項４に記載の方法。
【請求項６】
前記第５時刻は具体的には、
前記基地局が、受信した前記アップリンク情報を搬送する最後のシンボルの置かれた時刻を、前記第５時刻とし、又は、
前記基地局が、受信した前記アップリンク情報を搬送するサブフレーム又はタイムスロットの最後のシンボルの置かれた時刻を、前記第５時刻とすることによって決定される請求項５に記載の方法。
【請求項７】
前記第３時刻と前記第５時刻は、ダウンリンクに使用される時間単位である第２時間単位によって計量される請求項５又は６に記載の方法。
【請求項８】
前記第４時刻と前記第２時刻との間の時間長は、前記端末の遅延要求に対応する時間長より小さい請求項５〜７のいずれか一項に記載の方法。
【請求項９】
伝送時刻決定装置であって、
第１時刻に、基地局から送信されるＤＣＩを受信するように構成される受信ユニットと、
前記第１時刻に基づき、サイドリンクデータを伝送する第２時刻を決定するように構成される第１決定ユニットと、を備える伝送時刻決定装置。
【請求項１０】
受信した前記ＤＣＩを搬送する最後のシンボルの置かれた時刻を、前記第１時刻とし、又は、受信した前記ＤＣＩを搬送するサブフレーム又はタイムスロットの最後のシンボルの置かれた時刻を、前記第１時刻とするように構成される第２決定ユニットをさらに備える請求項９に記載の装置。
【請求項１１】
前記第１時刻と前記第２時刻は、サイドリンクに使用される時間単位である第１時間単位によって計量される請求項９又は１０に記載の装置。
【請求項１２】
基地局側における前記ＤＣＩの送信時刻は第３時刻である請求項９〜１１のいずれか一項に記載の装置。
【請求項１３】
第４時刻にアップリンク情報を前記基地局に送信するように構成され、前記基地局が前記アップリンク情報を受信する時刻は第５時刻である送信ユニットをさらに備える請求項１２に記載の装置。
【請求項１４】
前記第５時刻は具体的には、
前記基地局が、受信した前記アップリンク情報を搬送する最後のシンボルの置かれた時刻を、前記第５時刻とし、又は、
前記基地局が、受信した前記アップリンク情報を搬送するサブフレーム又はタイムスロットの最後のシンボルの置かれた時刻を、前記第５時刻とすることによって決定される請求項１３に記載の装置。
【請求項１５】
前記第３時刻と前記第５時刻は、ダウンリンクに使用される時間単位である第２時間単位によって計量される請求項１３又は１４に記載の装置。
【国際調査報告】
2021503742.tif 000011
2021503742.tif 000012
2021503742.tif 000013
2021503742.tif 000014